(57)【要約】【課題】  台所火災の出火原因の多くを占める天ぷら油火災等の防火対策として、従来品の課題を解決し、フードファン付レンジに設置することが可能であって、購入者による取り付けが簡単で、低コストのレンジ用自動消火装置を提供する。【解決手段】    本体容器を中心として、左右に熱感知ノズル付きの短い放出導管を配したコンパクトで一体構造の消火装置とし、レンジ左右のバーナー部のいずれから出火しても上部に配置された出火側の熱感知ノズルのみが早期開放し、容器内の全ての消火薬剤が火災側のレンジに集中して放出してすることによって、レンジ左右のバーナー部が防護可能で、早期作動かつ、設置が比較的容易なフードファン付レンジのフード下壁面に設置することが可能になる。【選択図】  図１
2008148986.tif 000002
【特許請求の範囲】
【請求項１】
厨房における調理目的のガスまたは電気による加熱用フードファン付きレンジ台で発生する火災消火用の自動消火装置において、蓄圧式消火器の本体容器を中心とし、該本体容器から熱感知ノズル付きの短い放出導管を夫々レンジ左右のバーナー部上に対応して、配設してコンパクトな一体構造をなし、レンジ左右のバーナー部のいずれか一方から出火した時に、上部に対応して配設されている出火側の熱感知器付き放出導管のノズルのみが早期開放し、本体容器内の消火薬剤が火災側のレンジに集中して放出されるように構成したことを特徴とする自動消火装置。
【請求項２】
レンジ面から上部のフード下端までの一定の高さ範囲で、しかもレンジ幅中心位置の背面壁部に本体を固定するフードファン付きレンジ用自動消火装置であって、消火薬剤を充填した内部にサイホン備えた蓄圧式消火器本体の、上部に設けた消火器本体内部に連通する放出通路を左右２方向に分岐する分岐ホルダーまたは単口ホルダー出口に２方向用分岐管を介して左右に放出導管を振分けて取付け、その放出導管の先端には各々レンジ面に向ける放出ノズルを設けた請求項１記載の自動消火装置。
【請求項３】
下方にノズルを向ける手段として、本体から水平方向に伸長した放出導管を下方に曲げる構造の他、放出導管途中に下方方向にエルボを使用することや、下向き構造の放出ノズルを直接取付ける方法も含む請求項１記載の自動消火装置。
【請求項４】
水平設置用の消火薬剤を充填したパイプ状蓄圧式消火器本体であって、パイプ状容器の胴管部または両端面に設けた内部に連通する左右の配管継ぎ手等から、先端に下方向のレンジ面に向ける放出ノズルを備えた２本の放出導管を配した請求項１記載のフード下壁面部に取付けるフードファン付きレンジ用自動消火装置。
【請求項５】
消火薬剤を充填した、内部サイホンの無い蓄圧式消火器本体の下部に設けた消火器本体内部に連通する放出通路を左右２方向に備えた分岐ホルダーまたは単口ホルダー出口に２方向分岐用継ぎ手を介して左右に放出導管を設け、双方の先端に下方向のレンジ面に向ける放出ノズルを設けている請求項１記載のフード下壁面部に取付けるフードファン付きレンジ用自動消火装置。
【発明の詳細な説明】
【技術分野】
【０００１】
本発明は厨房用フードファン付レンジ用自動消火装置に関するものである。
【背景技術】
【０００２】
【特許文献１】実用新案登録第１１９４４８５号
【特許文献２】実用新案登録第１４８０５７６号
【特許文献３】実用新案登録第１４８０５７７号
【特許文献４】実用新案登録第１４７０３２８号
【０００３】
厨房用レンジ火災用自動消火装置は、主に一般住宅が対象になる。
その場合、目的とするレンジ上のファン付フードの有無によって求められる消火装置の性能が異なり、フードファンの付いているレンジには設置することが出来ない消火装置もある。
また、一般的に設置されているレンジは、調理するコンロ(バーナー)が左右２口あるが、従来の消火装置には２口対応型と1口に限定されているものもある。
フードファンが作動しているレンジで天ぷら油鍋等から出火すると火災の初期の炎は比較的棒状でフード内に吸い込まれる状態になり、消火装置の感知部が鍋の真上から離れ過ぎると装置の作動が遅くなり、火災が拡大してしまうため、フードファン付レンジの場合は熱感知部がレンジ左右のバーナー位置に合わせて２箇所必要であることから感知部と放出ノズルを一体化した熱感知ノズルは消火装置１台で２個設けている。
【０００４】
消火器本体の設置場所としては下記の３方式に大別される。
（１）レンジ上部の背面壁に本体を固定するもの。
本体容器の前面から下方のレンジに向けた短い放出導管があり、その先端に放出ノズルが設けられている。従来型の放出ノズルは１個である。
（２）本体を、レンジ位置とは離れたスペースに設置し、本体容器から伸張した銅パイプ等の放出導管をレンジ上部まで布設し、放出導管先端に設けた放出ノズルをレンジ面に向け背面壁に固定するものと、フード内に設けた放出ノズルに連結するものがある。
放出ノズルは１個タイプと２個タイプがあり、２個の放出ノズルを備えているものはフード内に設置するものである。
（３） パイプ状本体をフード内に水平に取付けるもの。
垂直下向きに本体に直結した２個の放出ノズルが下面レンジ左右のバーナー位置に合うようにフード内部に取付ける。
【０００５】
図１４はレンジ背面壁に設置する従来品であり、フードの無いレンジに取付ける装置で、１口バーナー用である。左右のバーナーを防護する場合には図１４のように２台の消火装置を設けなければならない。
図１５はレンジ中央部に防護範囲の広い１個の放出ノズルを配置し、レンジ全体をカバーする背面壁に設ける消火装置であるが、左右のバーナーいずれかで出火してもレンジ全面に消火薬剤を散布する必要があるため、バーナー１個を目標とする場合と比較し薬剤量は３倍程度必要で本体容器が大型となる。また、熱感知ノズルがバーナー直上から遠ざかるため、作動速度が遅く、フードファン付きレンジには使用できない欠点がある。
図１６は、レンジから離れた収納スペース等に配置した本体から伸張した放出導管を、フード内に設けた２個の放出ノズルに連結している本体分離タイプである。
図１７ は、パイプ状容器に左右２個の放出ノズルを垂直下方のレンジバーナー部に向けて本体に直接取付けたフードファン付きレンジ用自動消火装置であり、フード内に収納するタイプである。
図１４〜１７の放出ノズルは何れも先端まで蓄圧されている構造になっている。
内圧が負荷されたノズル口は、易溶融金属(定温半田付け)を介して熱感知板で直接気密保持する方法と、図１３のようにノズル口内に内蔵したＯリング等を装着した封栓２０で気密を保ち、易溶融金属２２を介した熱感知板５が封栓２０を外側から押さえる方法のいずれかの構造がとられている。
レンジの天ぷら油鍋等から出火した場合には火炎により、熱感知板５が高温になり、ノズル４先端部と熱感知板を接合している易溶融金属２２が溶融することによって熱感知板５が落下し、ノズル口４が開口して蓄圧力で消火薬剤が放出される。
本説明文においては図 １３のように蓄圧式本体容器の自動消火装置に設ける放出ノズルと熱感知板を組み合わせたものを熱感知ノズルと呼称する。
なお、このノズル構造は気密性、作動性能、感知性能等の信頼性もあり、図１にも採用している。
【発明の開示】
【発明が解決しようとする課題】
【０００６】
台所火災の出火原因の多くを占める天ぷら油火災等の防火対策として、従来品の課題を解決し、フードファン付レンジに設置することが可能であって、購入者による取り付けが簡単で、低コストのレンジ用自動消火装置を提供する。
即ち、従来品の解決すべき課題は次の通りである。
図１４および図１５の従来品は壁面に本体容器を設置することが可能であるが、従来品は本体１台に対して熱感知ノズルが1個であるため、フードファン付レンジ左右のバーナー火災を防護する事ができない。レンジ上部の壁面取付け可能であって、フードファン付レンジに対応できる性能の装置が求められている。
図１６は本体をフード近傍の収納スペースに設け、本体と熱感知ノズルの間を比較的長い放出導管で連結する従来タイプである。
業者による配管工事が必要であり、一般購入者による取付けが困難である。
図１７はフード内設置タイプ従来品の設置方法であるが、フード幅には６０ｃｍ、９０ｃｍ、１２０ｃｍ等のサイズが有るため、付属品の長さが異なる調整パイプを数種類組合わせることによって、フード内部幅に本体全長を合わせ、その両端に取付け金具を設け、フード下部左右の折り返し部分を利用する方法などによって固定している。
しかしながら、多様化するフード形状によっては折返しの無いフードや、標準形状の付属金具が使用できない場合もあることから、確実に本体を固定する為には、フード面に穴あけ等の加工が必要な場合もあり、業者による工事が必要になる。フードの内のフィルター等の形状によっては取付けが不可能な場合もある。
【課題を解決するための手段】
【０００７】
本体容器を中心として、左右に熱感知ノズル付きの短い放出導管を配したコンパクトで一体構造の消火装置とする。
レンジ左右のバーナー部のいずれから出火しても上部に配置された出火側の熱感知ノズルのみが早期開放し、容器内の全ての消火薬剤が火災側のレンジに集中して放出してすることによって、レンジ左右のバーナー部が防護可能で、早期作動かつ、設置が比較的容易なフードファン付レンジのフード下壁面に設置することが可能になる。
【発明の効果】
【０００８】
１．  本体容器の左右に放出ノズルを設ける構造とすることにより、レンジの左右何れのバーナーから出火しても初期段階で消火効果を発揮するフードファン付レンジ用自動消火装置となる。
２．  従来の壁付け型に比較して、消火薬剤が少量で済み、小型軽量な本体容器と放出導管、熱感知ノズルをコンパクトに一体化した消火装置で、フード下壁部に設置可能となる。
３．  フード下の壁面部分は空きスペースになっている場合が多く、消火装置を取付ける場所に適している。狭いフード内部へ取り付けに比較し、作業性も良く、設置後のフード内日常清掃に支障が少ない。
４．  軽量化が図れるため、ステンレス板やタイル製の壁面に強力接着剤等でも本体容器を固定することが可能となり、レンジ背面が壁構造の厨房であれば穴あけ工具などは不要で、一般購入者が取付けできる。
【発明を実施するための最良の形態】
【０００９】
以下に本発明を図面に示す実施例によって説明するが、本発明はこれのみに制約されるものではない。
【実施例１】
【００１０】
図１（ａ）（ｂ）（ｃ）は請求項１を表した図であり、蓄圧式本体容器１の上部に設けた分岐ホルダー２は消火器用指示圧力計６や圧力注入口７や、図記省略の作動信号出力用圧力スイッチ等を設けているほか、消火薬剤放出通路を内部で２方向に分けたホルダーで、左右に取付けた放出導管３の先端には下方向に消火薬剤を放出する熱感知板５付きの放出ノズル４を配置する。
これらの消火装置は図９に示すようにフード１２の下壁面に設置され、かつ本体容器はレンジ幅中心に背面壁に設置されることにより左右の放射ノズル４が夫々レンジ１３の左右のバーナー１４に向けて配置される。
そこで熱感知板５付きの放出ノズル４は、感知速度を速め、レンジ１３上の鍋１５等に対して正確に放射するため、下面のレンジ左右のバーナー直上に近寄る方向に放出導管３を左右と前方に伸張し、先端の放出ノズル４は一定角度で右と左のバーナー１４方向に向いている。
【実施例２】
【００１１】
図２（ａ）（ｂ）も請求項１の分岐ホルダー２による放出導管３の配置例であり、図
１の放出導管３を直接横方向に伸ばしている構造と異なり、分岐ホルダー２の前面から放出導管を出した構造である。
【実施例３】
【００１２】
図３も請求項１の単口ホルダー出口に２方向分岐管を介して左右に放出導管を配置した例である。
【実施例４】
【００１３】
図６は請求項４の本体容器を水平に設置する構造を表し、パイプ状容器の両端面または管体部から左右２本の放出導管３を取り出している図である。
【実施例５】
【００１４】
図 ４、図５は請求項５の本体容器１の下部に分岐ホルダー２または単口ホルダー２４を設けて熱感知板５付き放出導管３を左右に配置した自動消火装置の例である。
【実施例６】
【００１５】
図１１は、請求項３の下方にノズルを向ける手段で放出導管３にエルボ（エルボ継ぎ手）２７を設けた例であり、図１２は、請求項３の下向き構造のノズルを放出導管先端に設けたエルボ型放出ノズル２８の例である。
消火装置の構造としては、前述の形態とする他、具体的には関係法令の基準に適合する性能、機能を有する消火装置とする。
【実施例７】
【００１６】
また、本発明品の具体的取付け方法について図９および図１０−１〜１０−３の実施例で説明する。
図１０−１と図１０−２は本体設置状態の側面図である。
消火装置はフード１２の下で、レンジ１３左右のバーナー１４の中心位置の対面壁部に取付ける。取付け高さは、レンジ面からフード下端までの範囲において性能確認された範囲を指定するものとする。
容器取付け金具は軽量で容器の着脱が簡単な構造とする。            
図１０−１ はフードの折り返し部分を利用して本体取付け金具を取付けた図である。
本体取付け金具の上端は L形 にし、フードに取付ける場合に使用する。
フード下縁が利用出来ない場合には、図１０−２のように本体取付け金具をビスまたは接着剤で固定する。一般購入者が取扱い説明書に準じて作業できる。  
図１０−３ はフード折り返し部用取付け金具を用いて本体取付け金具をフード下に設置した例である。
フード折り返し部分にフード取付け金具の割溝を上から嵌め込み、さらに、折り返し部分の下部に押し当てた本体取付け金具上端のL部を挟み込んだ状態で下から蝶ボルト等で締付けて簡便に固定することが可能であり、特殊な工具や技能は必要なく設置することができる。
【図面の簡単な説明】
【００１７】
【図１】斜視図で消火器本体上部の分岐ホルダーから、左右両側へ２本の放出導管を取付け、その放出導管は、下方に置かれるレンジの左または右のバーナー部火災を有効に感知または消火できる間隔に横および前方に伸張した後、各々が下方のレンジ左または右のバーナー方向に向いており、その先端にはバーナー上に置かれた鍋等を包含する散布性能と火災熱で自動開放する放出ノズルを備えた自動消火装置。
【図２】斜視図で消火器上部の分岐ホルダーから放出導管を手前に出してから横方向へ伸張する図１の分岐ホルダー変形例。
【図３】消火器上部の単口ホルダーに２方向分岐管を介して放出導管を左右に配した例。
【図４】消火器下部に設けた分岐ホルダーから左右に放出導管を配した例。
【図５】消火器下部に設けた単口ホルダーから２方向分岐管を介して放出導管を左右に配した図。
【図６】パイプ状容器の両側面から放出導管を左右に配した図。
【図７】パイプ状容器の胴管部前から放出導管を左右に配した例。
【図８】パイプ状容器の胴管部下から放出胴管を左右に配した例。
【図９】消火装置をフードファン付きレンジのフード下壁面に設置した状態を表し、レンジ幅中心の背面壁に消火装置本体を設置することにより、左右の放出ノズルが、レンジ左右のバーナーに向けて設置される。
【図１０−１】フード下縁の折り返し部を利用した本体取付け図。
【図１０−２】フード下の壁面に本体取付け金具をビスで固定した状態で材質によっては接着剤で固定することも可能。
【図１０−３】フード折り返し部用取付け金具を用いて本体取付け金具をフード下に設置した例である。
【図１１】放出胴管先端にエルボを介して放出ノズルを設けた自動消火装置。
【図１２】水平の放出胴管の先端にエルボ型放出ノズルを設けた自動消火装置。
【図１３】熱感知ノズルの構造例。
【図１４】従来品のバーナー一口防護型自動消火装置の設置例であって、左右のバーナーを防護するためには消火装置を２台設置する必要がある。
【図１５】壁付け型の従来品。放出ノズル１個でレンジ全面を防護するタイプであって、本体容器が大きく、放出導管を布設し、壁等に放出ノズルをレンジ面に向けて固定する。
【図１６】フード内に設けた２個の放出ノズルに別スペースに配置した本体容器から放出胴管を布設連結するフードファン付きレンジ用自動消火装置従来品。
【図１７】フード内に水平設置するパイプ状容器のフードファン付きレンジ用自動消火装置従来品。
【符号の説明】
【００１８】
１…本体容器 
２…分岐ホルダー 
３…放出導管 
４…放出ノズル
５ …熱感知板 
６ …指示圧力計 
７ …圧力注入口 
８…サイホン管 
９ …本体取付け金具 
１０…二方向分岐継ぎ手  
１１…消火装置
１２…フード 
１３…レンジ
１４…バーナー   
１５…調理鍋
１６…消火装置取付け壁    
１７…収納スペース  
１８…フード折返し部
１９…本体長さ調整パイプ  
２０…封栓
２１…Oリング
２２…易溶融金属(半田)
２３…放出ノズル接続部(ロー付け等)
２４…単口ホルダー
２５…壁面取付けネジ
２６…フード折り返し部取付け金具
２７…エルボ継ぎ手
２８…エルボ型放出ノズル
２９…換気扇
【図１】
2008148986.tif 000003
【図２】
2008148986.tif 000004
【図３】
2008148986.tif 000005
【図４】
2008148986.tif 000006
【図５】
2008148986.tif 000007
【図６】
2008148986.tif 000008
【図７】
2008148986.tif 000009
【図８】
2008148986.tif 000010
【図９】
2008148986.tif 000011
【図１０−１】
2008148986.tif 000012
【図１０−２】
2008148986.tif 000013
【図１０−３】
2008148986.tif 000014
【図１１】
2008148986.tif 000015
【図１２】
2008148986.tif 000016
【図１３】
2008148986.tif 000017
【図１４】
2008148986.tif 000018
【図１５】
2008148986.tif 000019
【図１６】
2008148986.tif 000020
【図１７】
2008148986.tif 000021